(57)【特許請求の範囲】
【請求項１】
型枠内におけるコンクリートの連結部に目地材を設置するに際し、当該目地材の両面の長さ方向に沿って目地材と交差するよう止水部を取り付けた目地材を設置し、型枠内の目地材の両側に同時にコンクリートを打設し、打設したコンクリート内に目地材と止水部とが埋設されるようにしたことを特徴とするコンクリート構造物の構築方法。
【請求項２】
前記目地材が、複数の単位目地材をＨ型断面の継手部材の溝部に収納して連結されていることを特徴とする請求項１に記載のコンクリート構造物の構築方法。
【請求項３】
前記目地材が、複数の単位目地材を、片方の単位目地材の端面に設けた突起もしくは突条を他方の単位目地材の端面に設けた溝部に収納して連結されていることを特徴とする請求項１に記載のコンクリート構造物の構築方法。
【請求項４】
前記止水部の幅方向の端部の突き合わせ部分に目地材と平行に形成した接合片が、止水部の幅方向の端部の片側もしくは両側に設けられていることを特徴とする請求項１に記載のコンクリート構造物の構築方法。
【請求項５】
前記止水部の幅方向の端部の突き合わせ部分に目地材と平行に形成した接合片が、目地材の所定位置に仮接着により取り付けられ、必要に応じて固着手段によって目地材に固着されることを特徴とする請求項１に記載のコンクリート構造物の構築方法。
【請求項６】
前記止水部が、長さ方向のそれぞれの端部に係合用の突起もしくは凹部を設けてあり、各止水部を長さ方向に連結する際に前記突起もしくは凹部を互いに係合して連結するようにしたことを特徴とする請求項１に記載のコンクリート構造物の構築方法。
【請求項７】
前記止水部が、板面に直交するよう幅方向に向かって長さ方向に沿った複数列のリブを設けられていることを特徴とする請求項１に記載のコンクリート構造物の構築方法。
【発明の詳細な説明】
【技術分野】
【０００１】
この発明は、コンクリート構造物の連結部において発生する漏水を止水できるようにしたコンクリート構造物の構築方法に関し、特に躯体の連結部に介在させた目地材が経年変化でコンクリート構造物の膨張や収縮に対応できなくなっても、目地材に取り付けた止水板が確実に漏水を防止することができ、しかもそのようなコンクリート構造物を簡易かつ迅速に施工できるようにしたコンクリート構造物の構築方法に関する。
【背景技術】
【０００２】
コンクリート構造物からの漏水はほとんどの場合に発生し、これまでも各種の止水構造が提案されている。すなわち、コンクリート構造物を所定の間隔で分割し、その連結部に目地材を介在させて夏場のコンクリート構造物の膨張や冬場のコンクリート構造物の収縮を吸収するようにしている。
【０００３】
そのような用途に使用される目地材としては、アスファルトを主成分とする瀝青タイプの目地板、アスファルトに繊維質素材を配合した瀝青繊維質目地板、樹脂もしくはゴム発泡体目地板、加熱型ゴムアスファルト注入目地材等が挙げられる。
【０００４】
しかしながら、上述の各種止水用目地板や止水用目地材においても、長期間の経年変化により止水用目地板や止水用目地材がコンクリート構造物の膨張や収縮に対応できなくなってしまい、一定の期間ごとに目地材を注入すること等によって補修する必要があった。そして、そのような補修をしない場合には、あるいは補修が追いつかない場合には漏水の結果を招いてしまう。
【０００５】
そこで、特公昭４８−２３３８２号公報（特許文献１参照）や実公昭４８−３１６０５号公報（特許文献２参照）、特開昭５９−６３１１０号公報（特許文献３参照）のように、止水板を目地板を横断して目地板の両側に突出させ、長期間の経年変化により止水用目地板や止水用目地材がコンクリート構造物の膨張や収縮に対応できなくなっても、その止水作用が損なわれないようにすることが提案されている。
なお、本件出願人は実願２００７−２４４１号（実用新案登録第３１３２６３５号公報）において、コンクリートの連結部に目地材を配置するとともに、当該目地材の両面の長さ方向に沿って目地材と直交する方向に止水部を突き合わせ、止水部の幅方向の端部の突き合わせ部分に目地材と平行に形成した接合片を介して、止水部を目地材に取り付けたことを特徴とするコンクリート構造物の止水部及び目地板部の連結構造を提案した。
【特許文献１】特公昭４８−２３３８２号公報
【特許文献２】実公昭４８−３１６０５号公報
【特許文献３】特開昭５９−６３１１０号公報
【特許文献４】実用新案登録第３１３２６３５号公報
【発明の開示】
【発明が解決しようとする課題】
【０００６】
しかしながら上記従来例においては、目地板を介して左右に配置されるコンクリートを打設する際、目地板の適所に止水部が形成されているときには止水部の取り付けを逐次長尺の止水材を適宜長さに切断しながら行なっていたため、目地板の両側を同時に打設することができず、工期がかかりすぎるという問題があった。
しかも止水部と目地材との組付けが面倒であり、また組付けにも時間や人手を要するという問題点があった。
【０００７】
そこでこの発明は、止水部を形成した目地板を介してその左右に配置されるコンクリートを打設する際、目地板の両側を同時に打設できるようにして、工期を大幅に短縮することが可能であり、しかも止水部と目地材との組付けが簡単であり、また組付けにも時間や人手が不要であって、簡易かつ迅速に施工できるようにしたコンクリート構造物の構築方法を提供しようとするものである。
【課題を解決するための手段】
【０００８】
すなわちこの発明のコンクリート構造物の構築方法は、型枠内におけるコンクリートの連結部に目地材を設置するに際し、当該目地材の両面の長さ方向に沿って目地材と交差するよう止水部を取り付けた目地材を設置し、型枠内の目地材の両側に同時にコンクリートを打設し、打設したコンクリート内に目地材と止水部とが埋設されるようにしたことを特徴とするものである。
【０００９】
この発明のコンクリート構造物の構築方法は、前記目地材が、複数の単位目地材をＨ型断面の継手部材の溝部に収納して連結されていることをも特徴とするものである。
【００１０】
この発明のコンクリート構造物の構築方法は、前記目地材が、複数の単位目地材を、片方の単位目地材の端面に設けた突起もしくは突条を他方の単位目地材の端面に設けた溝部に収納して連結されていることをも特徴とするものである。
【００１１】
この発明のコンクリート構造物の構築方法は、前記止水部の幅方向の端部の突き合わせ部分に目地材と平行に形成した接合片が、止水部の幅方向の端部の片側もしくは両側に設けられていることをも特徴とするものである。
【００１２】
この発明のコンクリート構造物の構築方法は、前記止水部の幅方向の端部の突き合わせ部分に目地材と平行に形成した接合片が、目地材の所定位置に仮接着により取り付けられ、必要に応じて固着手段によって目地材に固着されることをも特徴とするものである。
【００１３】
この発明のコンクリート構造物の構築方法は、前記止水部が、長さ方向のそれぞれの端部に係合用の突起もしくは凹部を設けてあり、各止水部を長さ方向に連結する際に前記突起もしくは凹部を互いに係合して連結するようにしたことをも特徴とするものである。
【００１４】
前記止水部が、板面に直交するよう幅方向に向かって長さ方向に沿った複数列のリブを設けられていることをも特徴とするものである。
【発明の効果】
【００１５】
この発明のコンクリート構造物の構築方法によれば、止水部を形成した目地板を介して左右に配置されるコンクリートを打設する際、目地板の両側を同時に打設できるので、工期を大幅に短縮することが可能であり、しかも止水部と目地材との組付けが簡単であり、また組付けにも時間や人手が不要であって、簡易かつ迅速に施工できるようになった。
より詳しく述べると次の通りである。
１）小型構造物から大型構造物まで対応できる。
２）止水部と目地部を併せ持つ構造により、左右同時打設、工期短縮が可能である。
３）止水部と目地部の組立が容易である。
４）止水部・目地部を積上げられる（継手部に凸・凹を設け接着することも可能）
５）止水部と目地部が別々であるため運搬・保管しやすい。
【発明を実施するための形態】
【００１６】
以下、この発明によるコンクリート構造物の構築方法を、図面に基いて詳細に説明する。
図面はこの発明のコンクリート構造物の構築方法の実施例を示すもので、図１はコンクリート打設用の型枠に目地材を取り付けた状態の斜視図、図２は打設したコンクリート構造物の斜視図、図３は小型のコンクリート構造物の構築方法の第１の実施例を示す斜視図、図４はその平面図、図５は図４の実施例の変形例を示す平面図、図６は第２の実施例を示す平面図、図７は図６の実施例の変形例を示す平面図、図８は市販の止水部を用いた小型のコンクリート構造物の構築方法の第３の実施例を示す斜視図、図９はその平面図、図１０は図８の実施例の変形例を示す平面図、図１１は別の変形例を示す平面図、図１２はさらに別の変形例を示す平面図、図１３は大型のコンクリート構造物の構築方法の実施例を示す斜視図、図１４はその平面図、図１５はその変形例を示す平面図、図１６は別の変形例を示す平面図、図１７は別の変形例を示す平面図、図１８は別の変形例を示す平面図、図１９は別の変形例を示す平面図、図２０は別の変形例を示す平面図、図２１は目地材と止水部との連結構造の１例を示す斜視図、図２２は目地材と止水部との連結構造の別の例を示す斜視図、図２３は目地材と止水部との連結構造の別の例を示す斜視図、図２４は目地材と止水部との連結構造の別の例を示す斜視図、図２５は目地材と止水部との連結構造の別の例を示す斜視図、図２６は目地材と止水部との連結構造の別の例を示す斜視図、図２７は目地材と止水部との連結構造の別の例を示す斜視図、図２８は目地材と止水部との連結構造の別の例を示す斜視図、図２９は目地材と止水部との連結構造の別の例を示す斜視図、図３０は目地材と止水部との連結構造の別の例を示す斜視図、図３１は目地材と止水部との連結構造の別の例を示す斜視図、図３２は目地材と止水部との連結構造の別の例を示す斜視図、図３３は目地材と止水部との連結構造の別の例を示す斜視図、図３４は目地材と止水部との連結構造の別の例を示す斜視図、図３５ａは目地材と止水部との連結構造を示す側面図、図３５ｂは変形例を示す側面図、図３６ａは上下にも連結した目地材と止水部との連結構造を示す側面図、図３６ｂは変形例を示す側面図、図３７ａは目地材と止水部との連結構造を示す平面図、図３７ｂは変形例を示す平面図、図３７ｃは変形例を示す平面図、図３７ｄは変形例を示す平面図、図３８ａは目地材と止水部との連結構造の別の例を示す平面図、図３８ｂは変形例を示す平面図、図３８ｃは変形例を示す平面図、図３８ｄは変形例を示す平面図、図３９ａは目地材と止水部との連結構造の別の例を示す平面図、図３９ｂは変形例を示す平面図、図３９ｃは変形例を示す平面図、図３９ｄは変形例を示す平面図、図４０ａは目地板の連結構造を示す斜視図、図４０ｂはその縦断面図、図４０ｃはその横断面図、図４０ｄは継手構造の複数の例を示す概略断面図、図４１ａは目地板の連結構造の別の例を示す斜視図、図４１ｂ−１は丸形継手部分の正面図、図４１ｂ−２は角形継手部分の正面図、図４１ｃ−１は継手部分の断面図、図４１ｃ−２は継手部分の他の例を示す断面図、図４１ｄ−１は継手形状の１例を示す概略図、図４１ｄ−２は継手形状の他の例を示す概略図、図４１ｅ−１は継手の使用状態の１例を示す概略図、図４１ｅ−２は継手の使用状態の他の例を示す概略図、図４２ａは目地板の連結構造の別の例を示す斜視図、図４２ｂ−１は継手部分の断面図、図４３ａは目地材と止水部との連結構造の別の例を示す斜視図、図４３ｂ−１は継手部分の断面図、図４３ｂ−２は変形例の断面図、図４３ｂ−３は継手部分の他の例を示す断面図、図４３ｂ−４は変形例の断面図、図４４ａは目地材と止水部との連結構造の別の例を示す斜視図、図４４ｂは継手の断面図、図４４ｃ−１は継手部分の断面図、図４４ｃ−２は変形例の断面図、図４４ｄは継手構造の例を示す概略図、図４４ｅは継手部分の別の例を示す断面図、図４５はこの発明の小型コンクリート構造物の構築方法の工程を示すフローチャート、図４６はこの発明の大型コンクリート構造物の構築方法の工程を示すフローチャートである。
【００１７】
図１および図２はこの発明のコンクリート構造物の構築方法の実施例を示すもので、図１はコンクリート打設用の型枠に目地材を取り付けた状態の斜視図、図２は打設したコンクリート構造物の斜視図である。
この発明における目地材１１は、止水部１２を一体的に取り付けられている点を特徴とするものである。
この発明において使用される前記目地材１１はアスファルトを主成分とする瀝青タイプの目地板、アスファルトに繊維質素材を配合した瀝青繊維質目地板、ＰＶＣその他の樹脂もしくはゴム発泡体目地板等の素材を用いてシート状に成形されている。もちろん、この発明は市販の目地材にも適用できる。この目地材１１は、押出成形等によって所定幅の長尺材に成形されている。
【００１８】
また、止水部１２もアスファルトを主成分とする瀝青タイプの目地板、アスファルトに繊維質素材を配合した瀝青繊維質目地板、ＰＶＣその他の樹脂もしくはゴム発泡体目地板等の素材を用いてシート状に成形されている。この止水部１２も、押出成形等によって所定幅の長尺材に成形されている。
【００１９】
より詳しく説明すると、止水板１２の素材として上記目地材１１と同様にアスファルトを主成分とする瀝青タイプの目地板、アスファルトに繊維質素材を配合した瀝青繊維質目地板、樹脂もしくはゴム発泡体目地板等を利用することができるが、その場合には目地材１１よりも硬質に形成しておくことが望ましい。上記樹脂の例としては、ポリ塩化ビニール（ＰＶＣ）やポリエチレンやポリプロピレン等のポリオレフィン系樹脂が挙げられる。
また、上記素材に代えて他の合成樹脂、あるいは硬質ゴム等を上記形状に成形したものを使用することもできる。いずれにしても止水部１２はその取り扱い上、目地材１１に取り付ける際に所定の剛性や硬度等を備えていることが望ましい。
【００２０】
図１に示すように、前記シート状の目地材１１は所定の型枠１００内の中ほどを仕切るように取り付けられ、またその中ほど両側に止水部１２が先端を打設するコンクリート内に突出するよう配設される。
その状態で型枠１００内にコンクリートを打設し、養生して脱型したのが図２に示すコンクリート構造物１０である。このコンクリート構造物１０は長さ方向のほぼ中ほどに目地材１１が介在し、さらに目地材１１の中ほど両面に、止水部１２が打設したコンクリート内に入り込むよう配設されているので、長期間の経年変化により目地材１１がコンクリート構造物の膨張や収縮に対応できなくなっても、止水部１２が存在することによってその止水作用が損なわれることがない。
【００２１】
図３以下は、上記コンクリート構造物の構築方法に適用されるコンクリート構造物の連結部の構造を示している。
第１の実施例を示す図３において、所定の型枠１００内に設置した小型のコンクリート構造物の連結部には、所定のサイズに切断した目地材１１が介在され、その両面には一対の止水部１２が相対向する位置に取り付けられている。そして、止水部１２はコンクリート構造物の連結部において、コンクリート構造物の端面から所定の深さまで入り込むように組込まれるものである。
前記止水部１２は、目地材１１の両面の長さ方向に沿って目地材１１と直交する方向にその側端部を突き合わせるとともに、止水部１２の幅方向の端部の突き合わせ部分には目地材１１と平行に形成した接合片１３を介して目地材１１に取り付けたものである。
【００２２】
図３に示す実施例をより詳細に説明する図４の平面図において、前記止水部１２の幅方向の端部の突き合わせ部分に目地材１１と平行に形成した接合片１３は、止水部１２の幅方向の端部の両側に設けられている。また止水部１２のコンクリート内部に突出する端部には必要に応じて膨頭部１４が形成してあり、また止水部１２の両側面にはその板面に直交するよう幅方向に向かって長さ方向に沿った複数列のリブ（フィン）を形成することができる。これらの膨頭部１４およびリブ（フィン）は打設したコンクリートにより強固に結合するようにするためのものである。
また、目地材１１の高さ方向のそれぞれの端部には、図３に示すように継手１６を設けてあり、各目地材１１を高さ方向に連結する際に前記継手１６の凹部１７にはめ込んで連結するように構成されている。
【００２３】
前記止水部１２の幅方向の端部の突き合わせ部分に目地材１１と平行に形成した接合片１３は、施工の際して目地材１１の所定位置に接着される。この接着面１０１は、止水部１２の接合片１３を目地材１１に接着剤を介して接着したり、両面接着テープを予め接合片１３の接合面に貼付しておき、剥離テープを剥がした上で目地材１１に貼付すること等によって行なうことができる。
もちろん、あらかじめ目地材１１に接合片１３を取り付けた状態で現場に搬入しても、施工前に現場で接合片１３を目地材１１に取り付けてもよい。
【００２４】
コンクリート構造物が小規模で打設したコンクリートによる引張力が小さかったり、接着剤や両面接着テープの接着力が強固であれば、図４に示すように別の固着手段を講じる必要はない。
図５の変形例では、上記接着面１０１に加えてさらに別の固着手段によって止水部１２を目地材１１に固着している。すなわち、接合片１３の外面にその長さ方向に沿ってボルト及びナット１９を取り付けてより強固に固着しているのである。
【００２５】
以上のような止水部１２を用いたことにより、目地材１１が市販されているものであっても対応することができ、止水部１２の設置位置や法・勾配を自由に調整することができ、また止水部１２を重ねて使用することができるのである。
図６は図３の実施例の変形例を示すものであり、接合片１３を止水部１２の片側にのみ設け、目地材１１に接着面１０１を介して接合したものであり、図７はさらに接合片１３の外面にその長さ方向に沿ってボルト及びナット１９を取り付けて補強したものである。
【００２６】
図８はこの発明のコンクリート構造物の構築方法の第２の実施例を示すものであり、止水部１２として市販の材料を用いたものである。すなわち、目地材１１を横方向に分断されたものとし、その間に市販の止水部１２を介在させたものである。この場合、止水部１２は目地材１１を分断してその両側に先端を突出させており、目地材１１と止水部１２との突合せ位置はアングル状の補強材２１によってその４隅を固定されている。２２はボルト及びナットである。
図９の実施例においては接着面１０１のみによって補強材２１が固定されている。
他方、図１０の変形例においては、接着面１０１およびボルト及びナット２２によって、目地材１１と止水部１２との接合位置に補強材２１が固定されている。
図１１の変形例においては、止水部１２の両面に目地材１１をはめ込む取付溝３１が一体的に形成され、この取付溝３１に目地材１１をはめ込むことによって目地材１１と止水部１２とが固定されている。１０１は接着面である。
図１２の変形例においても、止水部１２の両面に目地材１１をはめ込む取付溝３１が一体的に形成され、この取付溝３１に目地材１１をはめ込むことによって目地材１１と止水部１２とが固定されている。１０１は接着面、３２はボルト及びナットである。
【００２７】
図１３はこの発明のコンクリート構造物の構築方法を大型のコンクリート構造物に適用した第３の実施例を示すものである。この実施例においては、目地材１１は幅方向に複数連結した構造となっており、図１４に示すように各目地材１１間は目地材の連結継手４１を介して連結されている。この連結継手４１は、目地材１１の幅方向に直交する板状本体４２と、その両面に目地材１１をはめ込む取付溝４３とで一体的に形成され、この取付溝４３に目地材１１をはめ込むことによって各目地材１１を連結している。
４４は連結継手４１に一端を取り付け、他端を型枠１００の床面に固定したセパ（鉄筋など）で、目地材１１を型枠１００内に所定角度に保持させておくためのものであり、連結継手４１の所定の高さに複数本取り付けてある。
【００２８】
図１３の実施例の平面図を示す図１４をより詳しく説明すると、所定の型枠１００内に設置した大型のコンクリート構造物の連結部には、所定のサイズに切断した目地材１１が介在され、その両面には一対の止水部１２が相対向する位置に取り付けられている。４５は止水部１２端部に設けた接合片、１０１は目地材１１との接着面である。
図１４において、各目地材１１間は目地材の連結継手４１を介して連結されており、また目地材１１の幅方向の中ほどにはアングル状の補強材４６を介して、目地材１１を型枠１００内に所定角度に保持させておくためのセパ（鉄筋など）が取り付けられている。
【００２９】
図１５の変形例は、接合片４５の外面に所定の間隔でボルト及びナット１９を取り付けた例を示し、それ以外の構造は図１４と同じである。
図１６の変形例は、接合片４５の外面にアングル状の補強材４６を介して所定の間隔でボルト及びナット１９を取り付けた例を示し、それ以外の構造は図１４と同じである。
図１７の変形例は、止水部１２として市販のものを使用して、目地材１１の幅方向の間に介在させ、その４隅にアングル状の補強材５１を固定し、この補強材５１を介して目地材１１と止水部１２とを連結固定したものである。それ以外の構造は図１４と同じである。図において、１０１は補強材５１の取付面に形成した接着面である。
図１８の変形例は、図１７の変形例において、補強材５１に所定の間隔でボルト及びナット１９を取り付けた例を示し、それ以外の構造は図１４と同じである。図において、１０１は補強材５１の取付面に形成した接着面である。
図１９の変形例においては、止水部１２の両面に目地材１１をはめ込む取付溝６１が一体的に形成され、この取付溝６１に目地材１１をはめ込むことによって目地材１１と止水部１２とが固定されている。１０１は接着面である。
図２０の変形例においても、止水部１２の両面に目地材１１をはめ込む取付溝６１が一体的に形成され、この取付溝６１に目地材１１をはめ込むことによって目地材１１と止水部１２とが固定されている。１０１は接着面、６２はボルト及びナットである。
【００３０】
図２１は前記目地材と止水部との連結構造の詳細を示すもので、止水部１２として市販のものを使用して、目地材１１の幅方向の間に介在させ、その４隅にアングル状の補強材７１を固定し、この補強材７１を介して目地材１１と止水部１２とを連結固定したものである。この例においては、止水部１２の両側面にその板面に直交するよう幅方向に向かって長さ方向に沿った複数列のリブ（フィン）７２を形成している。そして膨頭部１４およびリブ（フィン）７２によって打設したコンクリートをより強固に結合することが可能となるのである。７３は目地材１１の連結時に使用される止水部１２上部にその長さ方向に沿って設けた凸部で、止水部１２下部の凹部（図示せず）と係合して止水部１２を連結するためのものである。１０１は補強材７１の取付面に形成した接着面である。
図２２は目地材と止水部との連結構造の別の例を示すもので、補強材７１を接着面１０１とボルト及びナット１９とで固定したものであり、それ以外は図２１と同じである。
図２３は前記目地材と止水部との連結構造の別の例を示すもので、止水部１２の両面に取付溝８１が一体的に形成され、この取付溝８１に目地材１１をはめ込むことによって目地材１１と止水部１２とが固定されている。１０１は接着面である。
図２４は目地材と止水部との連結構造の変形例を示すもので、取付溝８１に目地材１１をはめ込んだ上、帯鋼８２を介してボルト及びナット１９とで固定したものであり、それ以外は図２３と同じである。
図２５は目地材と止水部との連結構造の別の例を示すもので、目地材１１の両面に接合片９１を介して止水部１２を取り付けたものであり、接着面１０１で固定したものである。
図２６は目地材と止水部との連結構造の別の例を示すもので、目地材１１の両面に接合片９１を介して止水部１２を取り付けたものであり、接着面１０１とボルト及びナット１９とで固定したものである。なお９２は接合片９１の表面に取り付けた帯鋼で、ボルト及びナット１９を確実に保持するためのものである。
【００３１】
図２７は目地材と止水部との連結構造の別の例を示すもので、目地材１１の両面に接合片９１を介して止水部１２を取り付けたものであり、接合片９１を接着面１０１で固定したものである。９３は目地材１１の連結時に使用される止水部１２上部にその長さ方向に沿って設けた凸部で、止水部１２下部の凹部（図示せず）と係合して止水部１２を連結するためのものである。なおこの例においては、接合片９１の端面を目地材１１に向かって広がるようテーパ状に形成し、接着面１０１が大きくなるよう配慮している。
図２８は目地材と止水部との連結構造の変形例を示すもので、接合片９１を接着面１０１を用いて接合するとともに、帯鋼９２を介してボルト及びナット１９とで固定したものであり、それ以外は図２７と同じである。
図２９は目地材と止水部との連結構造の別の例を示すもので、目地材１１の連結時に使用される止水部１２上部にその長さ方向に沿って設けた凸部９３を止水部１２の接合片９１上部にも形成し、止水部１２下部の凹部（図示せず）と係合して止水部１２を連結するようにしたものである。
図３０は目地材と止水部との連結構造の別の例を示すもので、目地材１１の両面に接合片９１を介して止水部１２を取り付けたものであり、接合片９１を接着面１０１で固定したものである。この例では接合片９１は止水部１２の片側にのみ形成している。
９３は目地材１１の連結時に使用される止水部１２上部にその長さ方向に沿って設けた凸部で、止水部１２下部の凹部（図示せず）と係合して止水部１２を連結するためのものである。
図３１は目地材と止水部との連結構造の変形例を示すもので、止水部１２の片側に形成した接合片９１を接着面１０１を用いて接合するとともに、帯鋼９２を介してボルト及びナット１９とで固定したものであり、それ以外は図３０と同じである。
図３２は目地材と止水部との連結構造の別の例を示すもので、この例においては、接合片９１の端面を目地材１１に向かって広がるようテーパ状に形成し、接着面１０１が大きくなるよう配慮している。
図３３は目地材と止水部との連結構造の変形例を示すもので、接合片９１を接着面１０１を用いて接合するとともに、帯鋼９２を介してボルト及びナット１９とで固定したものであり、それ以外は図３２と同じである。
図３４は目地材と止水部との連結構造の別の例を示すもので、目地材１１の連結時に使用される止水部１２上部にその長さ方向に沿って設けた凸部９３を止水部１２の接合片９１上部にも形成し、止水部１２下部の凹部（図示せず）と係合して止水部１２を連結するようにしたのものである。
【００３２】
図３５ａ，ｂは目地材と止水部との連結構造の側面図で、ａは止水部１２の接合片９１を接着面１０１を用いて目地材１１に接合したものであり、ｂは接着面１０１とともに帯鋼８２・・・を介してボルト及びナット１９とで固定したものである。
図３６ａ，ｂは目地材と止水部との連結構造の側面図で、ａは目地材１１を上下に連結するとともに、止水部１２の接合片９１を接着面１０１を用いて目地材１１に接合したものであり、ｂは接着面１０１とともに帯鋼８２・・・を介してボルト及びナット１９とで固定したものである。
目地材１１を上下に連結する際には、止水部１２上部の凸部７３・・・を止水部１２下部の凹部にはめ込みとともに、目地材１１間に接着剤を介在させて連結すればよい。
【００３３】
図３７にこの発明のコンクリート構造物の構築方法に適用可能な目地材と止水部との連結構造の要部を示す。
図３７ａ〜ｄは目地材と止水部との連結構造を示す平面図で、図３７ａは止水部１２上部に設けた凸部を接合片１３・・・の上部にも連結形成したものである。図３７ｂは止水部１２の接合片１３・・・をボルト及びナット１９で固定した変形例の平面図、図３７ｃは止水部１２の接合片１３・・・の端面を目地材１１に向かって広がるようテーパ状に形成した例を示す平面図、図３７ｄは止水部１２の接合片１３・・・をボルト及びナット１９で固定した変形例の平面図である。図３７において１４・・・は膨頭部、７２はリブ（フィン）、１０１は接着面である。
図３８ａ〜ｄは目地材と止水部との連結構造の別の例を示す平面図で、図３９ａは分断した目地材１２を板状の止水部１２の両側面に形成した取付溝１３・・・にはめ込んで連結した場合を示すものであり、止水部１２上部に直線状に設けた凸部を取付溝３１・・・の上部にも連結形成したものである。図３８ｂは止水部１２の接合片１３・・・をボルト及びナット１９で固定した変形例の平面図、図３８ｃは止水部１２の取付溝１３・・・の端面を目地材１１に向かって広がるようテーパ状に形成した例を示す平面図、図３８ｄは止水部１２の取付溝１３・・・をボルト及びナット１９で固定した変形例の平面図である。図３８において１４・・・は膨頭部、７２はリブ（フィン）、１０１は接着面である。
図３９ａ〜ｄは目地材と止水部との連結構造の別の例を示す平面図で、いずれも図３７ａ〜ｄの接合片１３・・・を止水部１２の片側に形成した変形例を示すものである。
【００３４】
図４０は目地材１１の連結構造の１例を示すもので、図４０ａは連結した目地材１１の斜視図、図４０ｂはその縦断面図、図４０ｃはその横断面図、図４０ｄは継手構造の複数の例を示す概略断面図である。
この例では目地材１１の端面に凹凸１３１，１３２を形成し、それらを突き合わせて係合するようにしたものである。前記凹凸状の接合部の例としては、図４０ｄのようにＴ型、凹凸型、先端にくさび状の係合片を備えた凹凸型とすることができる。
【００３５】
図４１は目地材１１の連結構造の他の例を示すもので、図４１ａは連結した目地材１１の斜視図、図４１ｂ−１は丸形継手部分の正面図、図４１ｂ−２は角形継手部分の正面図である。
この例では継手１４１の形状をＨ型断面に形成し、その溝部に目地材１１を差し込んで係合するようにしたものである。前記継手形状の例としては図４１ｃ−１のように内壁を直線状としたり、図４１ｃ−２のように内壁にフック状の突起を形成することができる。
また、前記継手形状の全体形状としては図４１ｄ−１のように端面を山形としたり、図４１ｄ−２のように端面を角形に形成することができる。
得た目地板の連結構造は図４１ｄ−１に対応させた場合には図４１ｅ−１と、図４１ｄ−２に対応させた場合には図４１ｅ−２となる。
【００３６】
図４２は目地材１１の連結構造の他の例を示すものである。
図４２ａの例では継手１５１の形状をＨ型断面に形成し、その溝部に目地材１１を差し込んで係合するようにし、さらに継手１５１の側面に突条１５２を突設したものである。前記継手形状の例としては図４２ｂ−１、図４２ｃ−１のように内壁を直線状としたり、図４２ｂ−２、図４２ｃ−２のように内壁にフック状の突起を形成することができる。
また、前記継手形状の全体形状を図４２ｄに示す。
【００３７】
図４３ａは目地材１１のさらに別の例を示すものである。
この例では継手５１の形状をＨ型断面に形成し、その溝部に目地材１１を差し込んで係合するようにし、さらに継手１５１の側面に１突条５２を突設したものである。前記継手形状の例としては図４３ｂ−１、図４３ｃ−１のように内壁を直線状としたり、図４３ｂ−２、図４３ｃ−２のように内壁にフック状の突起を形成することができる。
また、前記目地材１１の所定位置には、その両面に止水部１２が取り付けられている。この止水部１２の取付方法も前記した接着やボルトナット等の手段を採用することが可能である。
【００３８】
図４４ａは目地材１１のさらに別の例を示すものである。
この例では目地材１１の連結を図４４ｂのテーパ付きの凹凸を係合して行っているが、図４４ｃ−１および図４４ｃ−２のように継手９４の形状をＨ型断面に形成し、その溝部に目地材１１を差し込んで係合するようにすることができる。前記継手形状の例としては図４４ｃ−１のように内壁を直線状としたり、図４４ｃ−２のように内壁にフック状の突起を形成することができる。図４４ｄは継手構造の複数の例を示すものである。
図４４ｅの例では目地材１１の連結をその端面に形成した凹凸を係合することによって行い、多数連結した目地材１１の両面に止水部９１およびＬ型補強材９４を固定してある。この止水部９１およびＬ型補強材９４の取付方法も前記した接着やボルトナット等の手段を採用することが可能である。
【００３９】
図４５および図４６はこの発明のコンクリート構造物の構築方法の工程を示すフローチャートである。
まず、図４５のフローチャートにおける小型コンクリート構造物の構築方法の工程は次の通りである。
１）田んぼの畦の側溝や道路の路側帯の排水溝ないし側溝、道路や水路の擁壁部分、あるいはその他のコンクリート構造物の連結部等の構築現場において、型枠を組み立てる。
２）型枠内の適所に、型枠内を交差するように目地材を取り付ける。型枠内への目地材の取付位置や角度は、適宜決定することができる。
３）目地材の適所に、その上下方向に沿って止水部を取り付ける。目地材への止水部の取付位置や角度は、適宜決定することができる。
この止水部は、型枠内へ目地材を取り付ける前に、目地材の所定位置に取り付けておくことも可能である。
４）型枠内の目地材の両側に、ほぼ同時にコンクリートを打設する。目地材および止水部は打設したコンクリート内に埋設されて一体化する。
５）打設したコンクリートを所定の時間養生する。
６）型枠を分解してコンクリートを脱型する。
７）コンクリート構造物が完成する。
【００４０】
図４６のフローチャートにおける大型コンクリート構造物の構築方法の工程は次の通りである。
１）田んぼの畦の側溝や道路の路側帯の排水溝ないし側溝、道路や水路の擁壁部分、あるいはその他のコンクリート構造物の連結部等の構築現場において、型枠を組み立てる。
２）型枠内の適所に、型枠内を交差するように複数の目地材を連結しながら取り付ける。型枠内への目地材の取付位置や角度は、適宜決定することができる。
またその際、目地材に補強材を取り付け、さらにセパをこの補強材と床面との間に張設しておくことが望ましい。
３）目地材の適所に、その上下方向に沿って止水部を取り付ける。目地材への止水部の取付位置や角度は、適宜決定することができる。
この止水部は、型枠内へ目地材を取り付ける前に、目地材の所定位置に取り付けておくことも可能である。
４）型枠内の目地材の両側に、ほぼ同時にコンクリートを打設する。目地材および止水部、補強材やセパ等は打設したコンクリート内に埋設されて一体化する。
５）打設したコンクリートを所定の時間養生する。
６）型枠を分解してコンクリートを脱型する。
７）コンクリート構造物が完成する。
【００４１】
上記実施例のコンクリート構造物の構築方法は、田んぼの畦の側溝や道路の路側帯の排水溝ないし側溝、道路や水路の擁壁部分、あるいはその他のコンクリート構造物の連結部に適用することができる。そして、それらに止水効果の非常に高いコンクリート構造物の連結部の止水構造を提供することができる。
【産業上の利用可能性】
【００４２】
この発明によれば、躯体の連結部に介在させた目地材が経年変化でコンクリート構造物の膨張や収縮に対応できなくなっても、目地材に取り付けた止水部が確実に漏水を防止することができ、しかもコンクリート構造物への組付けを簡易かつ迅速に施工できるようにした、高品質のコンクリート構造物の構築方法を提供することができるようになった。
【００４３】
また、この発明のコンクリート構造物の構築方法によれば、コンクリート構造物への組込みが容易であり、しかもコンクリート構造物のサイズがどのようなものであっても、簡単かつ迅速にそのサイズの変更に対応することができる。
【図面の簡単な説明】
【００４４】
【図１】コンクリート打設用の型枠に目地材を取り付けた状態の斜視図である。
【図２】打設したコンクリート構造物の斜視図である。
【図３】小型のコンクリート構造物の構築方法の第１の実施例を示す斜視図である。
【図４】その平面図である。
【図５】図４の実施例の変形例を示す平面図である。
【図６】第２の実施例を示す平面図である。
【図７】図６の実施例の変形例を示す平面図である。
【図８】市販の止水部を用いた小型のコンクリート構造物の構築方法の第３の実施例を示す斜視図である。
【図９】その平面図である。
【図１０】図８の実施例の変形例を示す平面図である。
【図１１】別の変形例を示す平面図である。
【図１２】さらに別の変形例を示す平面図である。
【図１３】大型のコンクリート構造物の構築方法の実施例を示す斜視図である。
【図１４】その平面図である。
【図１５】その変形例を示す平面図である。
【図１６】別の変形例を示す平面図である。
【図１７】別の変形例を示す平面図である。
【図１８】別の変形例を示す平面図である。
【図１９】別の変形例を示す平面図である。
【図２０】別の変形例を示す平面図である。
【図２１】目地材と止水部との連結構造の１例を示す斜視図である。
【図２２】目地材と止水部との連結構造の別の例を示す斜視図である。
【図２３】目地材と止水部との連結構造の別の例を示す斜視図である。
【図２４】目地材と止水部との連結構造の別の例を示す斜視図である。
【図２５】目地材と止水部との連結構造の別の例を示す斜視図である。
【図２６】目地材と止水部との連結構造の別の例を示す斜視図である。
【図２７】目地材と止水部との連結構造の別の例を示す斜視図である。
【図２８】目地材と止水部との連結構造の別の例を示す斜視図である。
【図２９】目地材と止水部との連結構造の別の例を示す斜視図である。
【図３０】目地材と止水部との連結構造の別の例を示す斜視図である。
【図３１】目地材と止水部との連結構造の別の例を示す斜視図である。
【図３２】目地材と止水部との連結構造の別の例を示す斜視図である。
【図３３】目地材と止水部との連結構造の別の例を示す斜視図である。
【図３４】目地材と止水部との連結構造の別の例を示す斜視図である。
【図３５】図３５ａは目地材と止水部との連結構造を示す側面図、図３５ｂは変形例を示す側面図である。
【図３６】図３６ａは上下にも連結した目地材と止水部との連結構造を示す側面図、図３６ｂは変形例を示す側面図である。
【図３７】図３７ａは目地材と止水部との連結構造を示す平面図、図３７ｂは変形例を示す平面図、図３７ｃは変形例を示す平面図、図３７ｄは変形例を示す平面図である。
【図３８】図３８ａは目地材と止水部との連結構造の別の例を示す平面図、図３８ｂは変形例を示す平面図、図３８ｃは変形例を示す平面図、図３８ｄは変形例を示す平面図である。
【図３９】図３９ａは目地材と止水部との連結構造の別の例を示す平面図、図３９ｂは変形例を示す平面図、図３９ｃは変形例を示す平面図、図３９ｄは変形例を示す平面図である。
【図４０】図４０ａは目地板の連結構造を示す斜視図、図４０ｂはその縦断面図、図４０ｃはその横断面図、図４０ｄは継手構造の複数の例を示す概略断面図である。
【図４１】図４１ａは目地板の連結構造の別の例を示す斜視図、図４１ｂ−１は丸形継手部分の正面図、図４１ｂ−２は角形継手部分の正面図、図４１ｃ−１は継手部分の断面図、図４１ｃ−２は継手部分の他の例を示す断面図、図４１ｄ−１は継手形状の１例を示す概略図、図４１ｄ−２は継手形状の他の例を示す概略図、図４１ｅ−１は継手の使用状態の１例を示す概略図、図４１ｅ−２は継手の使用状態の他の例を示す概略図である。
【図４２】図４２ａは目地板の連結構造の別の例を示す斜視図、図４２ｂ−１は継手部分の断面図である。
【図４３】図４３ａは目地材と止水部との連結構造の別の例を示す斜視図、図４３ｂ−１は継手部分の断面図、図４３ｂ−２は変形例の断面図、図４３ｂ−３は継手部分の他の例を示す断面図、図４３ｂ−４は変形例の断面図である。
【図４４】図４４ａは目地材と止水部との連結構造の別の例を示す斜視図、図４４ｂは継手の断面図、図４４ｃ−１は継手部分の断面図、図４４ｃ−２は変形例の断面図、図４４ｄは継手構造の例を示す概略図、図４４ｅは継手部分の別の例を示す断面図である。
【図４５】この発明の小型コンクリート構造物の構築方法の工程を示すフローチャート、である。
【図４６】この発明の大型コンクリート構造物の構築方法の工程を示すフローチャートである。
【符号の説明】
【００４５】
１０  コンクリート構造物
１１  目地材
１２  止水部
１３  接合片
１４  膨頭部
１６  継手
１６  凹部
１９  ボルト及びナット
２１  補強材
２２  ボルト及びナット
３１  取付溝
３２  ボルト及びナット
４１  連結継手
４２  板状本体
４３  取付溝
４４  セパ（鉄筋など）
４５  接合片
４６  補強材
５１  補強材
６１  取付溝
６２  ボルト及びナット
７１  補強材
７２  リブ（フィン）
７３  凸部
８１  取付溝
８２  帯鋼
９１  接合片
９２  帯鋼
９３  凸部
１００  コンクリート構造物
１０１  接着面
１３１，１３２  凹凸
１４１  継手
１５１  継手
１５２  突条
【図１】
0004588745.tif 000002
【図２】
0004588745.tif 000003
【図３】
0004588745.tif 000004
【図４】
0004588745.tif 000005
【図５】
0004588745.tif 000006
【図６】
0004588745.tif 000007
【図７】
0004588745.tif 000008
【図８】
0004588745.tif 000009
【図９】
0004588745.tif 000010
【図１０】
0004588745.tif 000011
【図１１】
0004588745.tif 000012
【図１２】
0004588745.tif 000013
【図１３】
0004588745.tif 000014
【図１４】
0004588745.tif 000015
【図１５】
0004588745.tif 000016
【図１６】
0004588745.tif 000017
【図１７】
0004588745.tif 000018
【図１８】
0004588745.tif 000019
【図１９】
0004588745.tif 000020
【図２０】
0004588745.tif 000021
【図２１】
0004588745.tif 000022
【図２２】
0004588745.tif 000023
【図２３】
0004588745.tif 000024
【図２４】
0004588745.tif 000025
【図２５】
0004588745.tif 000026
【図２６】
0004588745.tif 000027
【図２７】
0004588745.tif 000028
【図２８】
0004588745.tif 000029
【図２９】
0004588745.tif 000030
【図３０】
0004588745.tif 000031
【図３１】
0004588745.tif 000032
【図３２】
0004588745.tif 000033
【図３３】
0004588745.tif 000034
【図３４】
0004588745.tif 000035
【図３５】
0004588745.tif 000036
【図３６】
0004588745.tif 000037
【図３７】
0004588745.tif 000038
【図３８】
0004588745.tif 000039
【図３９】
0004588745.tif 000040
【図４０】
0004588745.tif 000041
【図４１】
0004588745.tif 000042
【図４２】
0004588745.tif 000043
【図４３】
0004588745.tif 000044
【図４４】
0004588745.tif 000045
【図４５】
0004588745.tif 000046
【図４６】
0004588745.tif 000047